(57)【要約】【課題】  正反射光下において、潜像画像に動的変化とチェンジングの二つの効果を併せ持ち、かつ、連続的に変化することを可能とした印刷物を提供するものである。【解決手段】    本発明は、異なる複数の基画像をそれぞれ分割したフレーム内画像を特定の方向に所定の縮率で圧縮して形成し、それらをそれぞれ同一ピッチで重ならないように、交互に光沢(パール)のある万線状の蒲鉾状画線の表面に配置することで、視認角度を異ならせて観察したときに、画像が動いて視認することができ、特定の角度から徐々に観察角度を変えることで、別の画像にチェンジし、さらに角度を変えることによりチェンジした画像も動いて視認することができる印刷物である。【選択図】  図２
2014162112.tif 000002
【特許請求の範囲】
【請求項１】
基材上の少なくとも一部に、明暗フリップフロップ性又はカラーフリップフロップ性の少なくともどちらか一方の特性を備えた蒲鉾状画線が、第一のピッチで第一の方向に規則的に複数配置された蒲鉾状画線群と、
前記蒲鉾状画線群の上に、正反射光下において前記蒲鉾状画線群と色彩が異なる少なくとも二つの潜像画線群から成る第一の合成潜像画線群を備え、
前記第一の合成潜像画線群を構成する第一の潜像画線群は、第一の基画像を基にして分割したフレーム内画像を、前記第一の方向に特定の縮率で圧縮して形成した第一の潜像画線が前記蒲鉾状画線上に少なくとも一部が重なるように、規則的に前記第一の方向及び前記第一のピッチで複数配置されて第一の潜像画像を形成し、第二の潜像画線群は、第二の基画像を基にして分割したフレーム内画像を、前記第一の方向に前記特定の縮率で圧縮して形成した第二の潜像画線が前記蒲鉾状画線上に少なくとも一部が重なるように、規則的に前記第一の方向及び前記第一のピッチで複数配置されて第二の潜像画像を形成し、
前記第一の潜像画線と前記第二の潜像画線は、互いに重なり合うことなく交互に配置され、
前記第一の潜像画線群の中心と前記第二の潜像画線群の中心は、前記第一の方向にずれて配置され、
前記潜像印刷物を正反射光下で観察した場合に、前記第一又は第二の潜像画像のうち、どちらか一方が視認可能となり、観察角度を変えていくことで視認可能となった一方の前記潜像画像が動画効果を奏しつつ、他方の前記潜像画像へ変化していくことを特徴とする潜像印刷物。
【請求項２】
前記第一の基画像を基にして分割したフレーム内画像の幅と前記第二の基画像を基にして分割したフレーム内画像の幅は同じであることを特徴とする請求項１記載の潜像印刷物。
【請求項３】
前記第一の潜像画線群の中心と前記第二の潜像画線群の中心は、前記フレーム内画像の幅の四分の一以上四分の三以下の距離離れて配置されることを特徴とする請求項２記載の潜像印刷物。
【請求項４】
隣り合う前記第一の潜像画線と前記第二の潜像画線は、少なくとも一辺が接して成り、前記一辺が前記蒲鉾状画線の上にあることを特徴とする請求項１乃至３のいずれか一項に記載の潜像印刷物。
【請求項５】
前記蒲鉾状画線の上に積層した前記第一の潜像画線の幅の割合と前記第二の潜像画線の幅の割合とが、それぞれの前記蒲鉾状画線において全て同じであることを特徴とする請求項１乃至４のいずれか一項に記載の潜像印刷物。
【請求項６】
前記潜像印刷物は、更に第二の合成潜像画線群を備え、
前記第二の合成潜像画線群は、正反射光下において前記蒲鉾状画線群と色彩が異なる少なくとも二つの潜像画線群から成り、
前記第二の合成潜像画線群を構成する第三の潜像画線群は、第三の基画像を基にして分割したフレーム内画像を、前記フレーム内画像の長手方向の中心を軸にミラー反転させ、前記第一の方向に特定の縮率で圧縮して形成した第三の潜像画線が前記蒲鉾状画線上に少なくとも一部が重なるように、規則的に前記第一の方向及び前記第一のピッチで複数配置されて第三の潜像画像を形成し、第四の潜像画線群は、第四の基画像を基にして分割したフレーム内画像を、前記フレーム内画像の長手方向の中心を軸にミラー反転させ、前記第一の方向に前記特定の縮率で圧縮して形成した第四の潜像画線が前記蒲鉾状画線上に少なくとも一部が重なるように、規則的に前記第一の方向及び前記第一のピッチで複数配置されて第四の潜像画像を形成し、
前記第一乃至第四の潜像画線は、全ての画線が重ならないように配置され、
前記第三の潜像画線群の中心と前記第四の潜像画線群の中心は、前記第一の方向にずれて配置され、
前記潜像印刷物を正反射光下における特定の観察角度で観察した場合に、前記第一の潜像画像及び前記第二の潜像画像のどちらか一方と前記第三の潜像画像及び前記第四の潜像画像のどちらか一方の二つの潜像画像が視認可能となり、
前記正反射光下における特定の観察角度から観察角度を変えていくことで、視認可能となった前記第一の潜像画像及び前記第二の潜像画像のどちらか一方と前記第三の潜像画像及び前記第四の潜像画像のどちらか一方の二つの潜像画像が相反する方向に動画効果を奏しつつ、他方の二つの潜像画像へ変化していくことを特徴とする請求項１乃至５のいずれか一項に記載の潜像印刷物。
【請求項７】
前記第三の潜像画像は、前記第一の潜像画像又は前記第二の潜像画像と同じ画像で形成され、
前記第四の潜像画像は、前記第一の潜像画像又は前記第二の潜像画像と同じ画像で形成されたことを特徴とする請求項６記載の潜像印刷物。
【発明の詳細な説明】
【技術分野】
【０００１】
本発明は、偽造防止効果を必要とする印刷物である紙幣、旅券、証券、身分証明書、カ−ド及び通行券等の貴重印刷物の分野において、正反射光下で動いて見える画像が出現し、かつ、動いて見える画像が変化する潜像印刷物に関するものである。
【背景技術】
【０００２】
紙幣、旅券、有価証券及び身分証明書等の貴重印刷物には、複製や偽造を防止するために、偽造防止技術が必要とされている。また、偽造防止技術の中でも、すかしやホログラム等に代表される、道具を必要とせず、印刷物を手にしたほとんどの人が真偽判別に利用することができる偽造防止技術が特に必要とされている。
【０００３】
従来、偽造防止技術を用いて実現する、真偽判別のための視覚効果は、画像の「チェンジ効果」が主流であった。この「チェンジ効果」とは、ある画像領域において、それまで視認されていた有意情報が、別の有意情報へと変化する視覚効果であり、変化が大きく判別が容易であることから、従来からホログラムの中で多く用いられ、真偽判別のための有効な効果の一つとして広く認識されてきた。
【０００４】
また、近年、画像が動いて見える、いわゆる、「動画効果」を備えた偽造防止技術が特に注目されている。画像が動いて見える「動画効果」は、前述のチェンジ効果と比較して、その効果のユニークさから人目を惹きやすく、また、偽造することがより困難であることから、近年、チェンジ効果に変わる偽造防止技術に適した視覚効果として、より高い評価を受けつつある。
【０００５】
このようなチェンジ効果や動画効果を実現可能な公知技術としてホログラム、パララックスバリア又はレンチキュラー等を用いた技術が存在し、これらの技術が備えるわずかな角度変化で画像を変化させるという特徴を活かして、画像が立体的に視認される効果や、動画効果を備えた貴重印刷物が既に広く存在している。
【０００６】
しかし、一般的なパララックスバリア、レンチキュラー又はマイクロレンズアレイ等を用いてチェンジ効果や動画的効果を実現した場合、クリア層かレンズが必要となることから、基材がほぼプラスティックに限定される上、印刷物に用いる場合には、一定の厚みが必要となる。一般に流通する印刷物には厚さの制限があり、通常の印刷物には用いることができず、プラスティック製カード以外には採用されない傾向にある。また、ホログラムは極めて薄く仕上げることが可能であり、世界中の紙幣に用いられているものの、印刷で形成することができる技術ではなく、加えて製造工程の複雑さと高い製造コストに大きな問題がある。
【０００７】
以上の問題を解決するため、本出願人は、一般的な印刷方法で形成することが可能な技術として、高い光沢及び盛り上がりを有する蒲鉾状の画線に光が入射した場合に、盛り上がりを有する蒲鉾状の画線のうち、入射する光と法線を成す面のみが強く光を反射する現象を利用した画像のチェンジ効果や動画効果を形成する技術を既に出願している（例えば、特許文献１、特許文献２、特許文献３、特許文献４及び特許文献５参照）。これらの技術は、パララックスバリア又はレンチキュラーの１０分の１程度の厚さで形成することが可能であって、製造技術も従来からある製版技術と印刷技術を活用することで容易に実施可能であり、かつ、一般的な印刷物と同じコストで動画効果を備えた印刷画像を形成することができるという優れた特徴を有する。
【先行技術文献】
【特許文献】
【０００８】
【特許文献１】特許第４６８２２８３号公報
【特許文献２】特許第４６６０７７５号公報
【特許文献３】特許第４８４４８９４号公報
【特許文献４】特許第５１３１７８９号公報
【特許文献５】特開２０１１−１２６０２８号公報
【発明の概要】
【発明が解決しようとする課題】
【０００９】
特許文献１及び特許文献２に記載の技術は、正反射光下で出現する特定の潜像画像が異なる画像へと変化する画像のチェンジ効果を実現した技術である。しかし、特許文献１及び特許文献２に記載の技術は、基本的にはチェンジ効果に特化した技術であり、現在のトレンドである動画効果を実現することは困難であった。
【００１０】
また、特許文献３及び特許文献４に記載の技術は、微小な像や文字等を圧縮し、連続して配置した反復性を有する画像を用い、特定の条件でモアレを生じさせることによって、微小な像や文字等が拡大されて観察される「モアレ拡大（ｍｏｉｒｅ  ｍａｇｎｉｆｉｃａｔｉｏｎ）現象」を利用したもので、優れた動画効果を発揮する技術である。特に、特許文献４の技術は、画像を動かしながら変化させることができる特殊な画線構成を含む。しかしながら、モアレ拡大現象を用いるためには、配置した盛り上がりのある画線や画素の配置ピッチよりも小さな大きさで像や文字等を印刷する必要があり、印刷で再現可能な像や文字の大きさには制限があることから、潜像として出現させられる画像は、解像度の極めて低い、単純な図柄に制限されるという課題があった。
【００１１】
最後に、特許文献５に記載の技術は、インテグラルフォトグラフィと呼ばれる古典的な立体画像の形成方法をベースに改良した技術であって、特許文献３及び特許文献４に記載の技術のようなモアレ拡大現象を利用した技術とは異なり、配置した盛り上がりのある画線や画素の配置ピッチよりも小さな大きさで像や文字等を印刷する必要がなく、印刷で形成可能であるにも関わらず、解像度の高い画像を容易に構成可能であって、優れた動画効果を実現できる技術である。しかしながら、特許文献５の技術は、正反射光下で盛り上がりのある画線に生じる反射光の強弱を利用して潜像画像を出現させる技術であるため、盛り上がりのある画線の画線方向と直交する方向から光が入射した場合には、優れた動画効果を発揮するものの、盛り上がりのある画線の画線方向と平行な方向や、画線全体に均等に光が入射するような環境下では、動画効果が大きく低下するという課題（特許文献３、特許文献４も同様の課題を有する）があった。
【００１２】
すなわち、特許文献５に記載の技術において、適正な効果が発揮された場合の動画効果は、特許文献１及び特許文献２に記載の技術で形成することができるチェンジ効果と比較して、判別性に優れるものの、その一方で効果が低下した場合の動画効果は、特許文献１及び特許文献２に記載の技術で形成することができるチェンジ効果よりも判別性が劣る可能性があった。
【００１３】
以上のような課題を解決するため、動画効果とチェンジ効果の両方を備えた偽造防止技術が望まれており、引用文献１から引用文献２までのチェンジ効果に特化した技術と、特許文献５に記載の動画効果に特化した技術を組み合わせることで、図３６（ａ）に示すように、正反射光下のある角度範囲では、動く桜の花びらの画像が視認され、また、ある角度範囲では、図３６（ｂ）に示すように、桜の花びらから「ＪＡＰＡＮ」の文字へと画像がチェンジするような、画像のチェンジ効果を付与した技術を構成することが可能である。しかしながら、図３６に示すような動画効果とチェンジ効果を単純に足し合わせたような構成とした場合、従来の動画効果のみを単独で視認させる形態と比較して、観察者が動画効果を視認することができる角度範囲が半分に減ってしまうことから、動画効果が損なわれるという課題が生じていた。そのため、一般的な印刷方式により形成することができ、動画効果を損なわず、かつ、チェンジ効果も生じさせる新しい効果を有する偽造防止技術の出現が望まれていた。
【００１４】
本発明は、前述した課題の解決を目的とするものであり、正反射光下で出現する画像に優れた動画効果とチェンジ効果を同時に付与することが可能で、かつ、安価で生産性の高い一般的な印刷方式で形成可能な偽造防止効果に優れた潜像印刷物を提案することを目的とする。
【課題を解決するための手段】
【００１５】
本発明の潜像印刷物は、基材上の少なくとも一部に、明暗フリップフロップ性又はカラーフリップフロップ性のどちらか一方の特性を少なくとも備えた蒲鉾状画線が、第一のピッチで第一の方向に規則的に複数配置された蒲鉾状画線群と、蒲鉾状画線群の上に、正反射光下において蒲鉾状画線群と色彩が異なる少なくとも二つの潜像画線群から成る第一の合成潜像画線群を備え、第一の合成潜像画線群を構成する第一の潜像画線群は、第一の基画像を基にして分割したフレーム内画像を、第一の方向に特定の縮率で圧縮して形成した第一の潜像画線が、蒲鉾状画線上に少なくとも一部が重なるように、規則的に第一の方向及び第一のピッチで複数配置されて第一の潜像画像を形成し、第二の潜像画線群は、第二の基画像を基にして分割したフレーム内画像を、第一の方向に特定の縮率で圧縮して形成した第二の潜像画線が、蒲鉾状画線上に少なくとも一部が重なるように、規則的に第一の方向及び第一のピッチで複数配置されて、第二の潜像画像を形成し、第一の潜像画線と第二の潜像画線は、互いに重なり合うことなく交互に配置され、第一の潜像画線群の中心と第二の潜像画線群の中心は、第一の方向にずれて配置され、潜像印刷物を正反射光下で観察した場合に、第一又は第二の潜像画像のうち、どちらか一方が視認可能となり、観察角度を変えていくことで、視認可能となった一方の潜像画像が動画効果を奏しつつ、他方の潜像画像へ変化していくことを特徴とする潜像印刷物である。
【００１６】
また、本発明の潜像印刷物は、第一の基画像を基にして分割したフレーム内画像の幅と第二の基画像を基にして分割したフレーム内画像の幅が同じであることを特徴とする潜像印刷物である。
【００１７】
また、本発明の潜像印刷物における第一の潜像画線群の中心と第二の潜像画線群の中心は、フレーム内画像の幅の四分の一以上四分の三以下の距離離れて配置されることを特徴とする潜像印刷物である。
【００１８】
また、本発明の潜像印刷物における隣り合う第一の潜像画線と第二の潜像画線は、少なくとも一辺が接して成り、接する一辺が蒲鉾状画線の上にあることを特徴とする潜像印刷物である。
【００１９】
また、本発明の潜像印刷物は、蒲鉾状画線の上に積層した第一の潜像画線の幅の割合と第二の潜像画線の幅の割合とが、それぞれの蒲鉾状画線において全て同じであることを特徴とする潜像印刷物である。
【００２０】
また、本発明の潜像印刷物は、更に第二の合成潜像画線群を備え、第二の合成潜像画線群は、正反射光下において蒲鉾状画線群と色彩が異なる少なくとも二つの潜像画線群から成り、第二の合成潜像画線群を構成する第三の潜像画線群は、第三の基画像を基にして分割したフレーム内画像を、フレーム内画像の長手方向の中心を軸にミラー反転させ、第一の方向に特定の縮率で圧縮して形成した第三の潜像画線が蒲鉾状画線上に少なくとも一部が重なるように、規則的に第一の方向及び第一のピッチで複数配置されて第三の潜像画像を形成し、第四の潜像画線群は、第四の基画像を基にして分割したフレーム内画像をフレーム内画像の長手方向の中心を軸にミラー反転させ、第一の方向に特定の縮率で圧縮して形成した第四の潜像画線が蒲鉾状画線上に少なくとも一部が重なるように、規則的に第一の方向及び第一のピッチで複数配置されて第四の潜像画像を形成し、第一乃至第四の潜像画線は、全ての画線が重ならないように配置され、第三の潜像画線群の中心と第四の潜像画線群の中心は、第一の方向にずれて配置され、潜像印刷物を正反射光下における特定の観察角度で観察した場合に、第一の潜像画像及び第二の潜像画像のどちらか一方と第三の潜像画像及び第四の潜像画像のどちらか一方の二つの潜像画像が視認可能となり、正反射光下における特定の観察角度から観察角度を変えていくことで、視認可能となった第一の潜像画像及び第二の潜像画像のどちらか一方と第三の潜像画像及び第四の潜像画像のどちらか一方の二つの潜像画像が相反する方向に動画効果を奏しつつ、他方の二つの潜像画像へ変化していくことを特徴とする潜像印刷物である。
【００２１】
さらに、本発明の潜像印刷物における第三の潜像画像は、第一の潜像画像又は第二の潜像画像と同じ画像で形成され、第四の潜像画像は、第一の潜像画像又は第二の潜像画像と同じ画像で形成されたことを特徴とする潜像印刷物である。
【発明の効果】
【００２２】
本発明の潜像印刷物は、動画効果とチェンジ効果をそれぞれ単独で別々の領域に構成するのではなく、動画効果を有する二種類の画像を特定の規則にしたがって組合せ、ある画像が動きながら異なる画像へとスムーズにチェンジする、チェンジ効果に連続的なつながりを有した構成とすることで、動画効果単独で潜像画像を構成した場合と比較しても動画効果が損われず、動画効果と画像のチェンジ効果を一つの画像の中で両立して実現することができる。認証性には優れるが、効果の環境依存性が高い動画効果と、認証性は劣るが、効果の環境依存性が低いチェンジ効果の両方を備えることで、様々な環境化で、認証可能な効果が発現する、総合的により優れた真偽判別性を実現した。  
【００２３】
また、本発明の潜像印刷物は、ホログラムのように専用の作製装置や機械を必要とせず、一般的な機能性材料と、既存の印刷機を用いることで作製可能であり、また、特に高い刷合せ精度も要求しないことから、生産が容易であり、コストパフォーマンスが高い。
【００２４】
さらに、本発明の潜像印刷物は、動画効果だけでなく、動画効果とチェンジ効果の二つの効果を一つの印刷画像内に備えることから、単に一つの効果を再現するよりも、異なる二つの効果を再現することは困難である。さらに、本発明のように視覚的に連続的なつながりを有して発現する二つの効果を同時に再現することはより困難であることから、従来技術よりも偽造防止効果に優れる。
【図面の簡単な説明】
【００２５】
【図１】（ａ）は本発明における潜像印刷物の正面図を示し、（ｂ）は断面図を示す。
【図２】本発明における潜像印刷物の構成の概要を示す。
【図３】本発明における蒲鉾状画線群を示す。
【図４】本発明における合成潜像画線群を示す。
【図５】本発明における第一の潜像画像群を示す。
【図６】本発明における第一の潜像画線の作製方法を示す。
【図７】本発明における第一の潜像画像群の作製方法を示す。
【図８】本発明における第二の潜像画像群を示す。
【図９】本発明における合成潜像画線群における第一の潜像画線群と第二の潜像画線群の位置関係を示す。
【図１０】本発明における合成潜像画線群における第一の潜像画線と第二の潜像画線の位置関係を示す。
【図１１】本発明における蒲鉾状画線群と合成潜像画線群の重なり合いの位置関係を示す。
【図１２】本発明における潜像印刷物の効果を示す。
【図１３】本発明における潜像印刷物の効果が生じる原理の説明図を示す。
【図１４】（ａ）は本発明における潜像印刷物の正面図を示し、（ｂ）は断面図を示す。
【図１５】本発明における潜像印刷物の構成の概要を示す。
【図１６】本発明における蒲鉾状画線群を示す。
【図１７】本発明における合成潜像画線群を示す。
【図１８】本発明における第一の潜像画像群を示す。
【図１９】本発明における第一の潜像画線の作製方法を示す。
【図２０】本発明における第一の潜像画像群の作製方法を示す。
【図２１】本発明における第二の潜像画像群を示す。
【図２２】本発明における合成潜像画線群における第一の潜像画線群と第二の潜像画線群の位置関係を示す。
【図２３】本発明における合成潜像画線群における第一の潜像画線と第二の潜像画線の位置関係を示す。
【図２４】本発明における蒲鉾状画線群と合成潜像画線群の重なり合いの位置関係を示す。
【図２５】本発明における潜像印刷物の効果を示す。
【図２６】本発明における潜像印刷物の構成の概要を示す。
【図２７】本発明における潜像印刷物の効果を示す。
【図２８】本発明における合成潜像画線群における第一の潜像画線群と第二の潜像画線群の位置関係の説明図を示す。
【図２９】（ａ）は本発明における潜像印刷物の正面図を示し、（ｂ）は断面図を示す。
【図３０】本発明における潜像印刷物の構成の概要を示す。
【図３１】本発明における蒲鉾状画線群を示す。
【図３２】本発明における合成潜像画線群１における第一の潜像画線と第二の潜像画線の構成を示す。
【図３３】本発明における合成潜像画線群２における第一の潜像画線と第二の潜像画線の構成を示す。
【図３４】本発明における合成潜像画線群における第一の潜像画線群と第二の潜像画線群の位置関係を示す。
【図３５】本発明における潜像印刷物の効果を示す。
【図３６】従来の技術の組み合わせで実現し得る効果を示す。
【発明を実施するための形態】
【００２６】
（第一の実施の形態）
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２７】
図１に、本発明における潜像印刷物（１）を示す。図１（ａ）に示すのは、潜像印刷物（１）の正面図であり、図１（ｂ）に示すのは、潜像印刷物（１）のＡＡ´ラインにおける断面図である。潜像印刷物（１）は、基材（２）の上に、印刷画像（３）が形成されてなる。基材（２）は、印刷画像（３）を形成することができれば、紙、プラスティック及び金属等とすることができ、その材質は問わない。また、基材（２）の大きさについても、特に制限はない。印刷画像（３）は、いかなる色彩でも良く、透明や半透明であっても良い。なお、図１以降に示す全ての印刷画像（３）において、説明のために潜像画像が可視化された図を用いているが、実際には、拡散反射光下において印刷画像（３）中の潜像画像は不可視である。
【００２８】
本発明の印刷画像（３）における構成の概要を図２に示す。印刷画像（３）は、蒲鉾状画線群（４）の上に、合成潜像画線群（５）が重ね合わさってなる。まず、蒲鉾状画線群（４）について具体的に説明する。図３は、蒲鉾状画線群（４）であり、蒲鉾状画線群（４）は、盛り上がりを有する蒲鉾形状を有した、第一の画線幅（Ｗ１）を有する蒲鉾状画線（６）が第一のピッチ（Ｐ１）で第一の方向（図中Ｓ１方向）に複数配置されることで形成される。
【００２９】
蒲鉾状画線（６）は、拡散反射光下において、特定の色彩を有するか、透明又は半透明であって、明暗フリップフロップ性及び／又はカラーフリップフロップ性を有し、正反射光下では、拡散反射光下と異なる色彩へと変化する特性を有する。なお、本発明でいう蒲鉾状画線（６）の形状は、蒲鉾形立体のみならず、半円形状又は半楕円形状等の半円立方体の形状も含まれる。
【００３０】
本発明における「明暗フリップフロップ性」とは、物質に光が入射した場合に、物質の明度が変化する性質を指し、「カラーフリップフロップ性」とは、物質に光が入射した場合に、物質の色相が変わる性質を指す。明暗フリップフロップ性を備えた印刷で用いるインキとしては、金色や銀色等のメタリック系の金属インキ、グロスタイプの着色インキ又は透明及び半透明のインキ等がある。一般的に艶があると感じられる物質は、明暗フリップフロップ性を備える。例えば、銀インキは、光を強く反射しない拡散反射光下では、暗い灰色にしか見えないが、光を強く反射する正反射光下では、より淡い灰色か、又は白色に見える。このように、「明暗フリップフロップ性」を有するインキは、正反射光下で明度が変化する。
【００３１】
一方のカラーフリップフロップ性を備えた印刷で用いるインキとしては、パールインキ、液晶インキ、ＯＶＩ及びＣＳＩ（Ｃｏｌｏｒ Ｓｈｉｆｔｉｎｇ Ｉｎｋ）等が存在する。多くのインキは物体色を有するが、虹彩色パールインキは無色透明である。例えば、赤色の虹彩色パールインキは、拡散反射光下では無色透明であるが、正反射光下では赤色の干渉色を発する。このように、「カラーフリップフロップ性」を備えたインキは、正反射光下で色相が変化する。
【００３２】
以上のような構成の蒲鉾状画線群（４）を、盛り上がりを有する画線として形成することができる印刷方式によって形成する。出現する潜像画像に一定の視認性を確保するためには、蒲鉾状画線（６）の盛り上がり高さは３μｍ以上必要であるため、スクリーン印刷又は凹版印刷等で形成することが望ましいが、グラビア印刷、フレキソ印刷、凸版印刷及びＩＪＰ等であってもこの程度の画線の盛り上がり高さを形成することは可能である。また、盛り上がりの高さの上限に関しては、特に制限はないが、大量に積載した場合の安定性、耐摩擦性及び流通適正等を考慮して１ｍｍ以下とする。なお、本発明における画線とは、印刷の最小単位である網点を一定の距離で、隙間なく連続して配置した画像要素であって、点線、破線、分断線及び分岐線等が含まれる。
【００３３】
次に、合成潜像画線群（５）について具体的に説明する。図４は、合成潜像画線群（５）であり、第一の潜像画線群（５Ａ）と第二の潜像画線群（５Ｂ）とを有する。第一の潜像画線群（５Ａ）と第二の潜像画線群（５Ｂ）は、領域的に重なり合って配置されてなり、一見して第一の潜像画線群（５Ａ）と第二の潜像画線群（５Ｂ）とが重なり合っているように見える。ただし、実際には第一の潜像画線群（５Ａ）と第二の潜像画線群（５Ｂ）とは、その領域は重なるものの、それぞれを構成する画線自体は重なり合うことはない。重なり合いの具体的な構成については後記する。
【００３４】
第一の実施の形態で説明する合成潜像画線群（５）は、第一の潜像画線群（５Ａ）と第二の潜像画線群（５Ｂ）の二つの潜像画線群からなるが、二つの潜像画線群の基本的な構造と、作製方法は同じである。第一の実施の形態においては、第二の潜像画線群（５Ｂ）を代表例として用いて、その潜像画線群の構造と、作製方法について説明する。
【００３５】
図５に、第二の潜像画線群（５Ｂ）を示す。第二の潜像画線群（５Ｂ）は、第三の画線幅（Ｗ３）を有する第二の潜像画線（７Ｂ）が、第一の方向（図中Ｓ１方向）に第一のピッチ（Ｐ１）で複数配置されてなる。それぞれの第二の潜像画線（７Ｂ）は、それぞれ異なる形状を有する。第二の潜像画線群（５Ｂ）は、Ａ側から、第二の潜像画線１（７Ｂ−１）、第二の潜像画線２（７Ｂ−２）、第二の潜像画線３（７Ｂ−３）・・・第二の潜像画線ｎ（７Ｂ−ｎ）が、第一の方向（Ｓ１方向）に向かって第一のピッチ（Ｐ１）で順にＡ´側へと配置されて構成される。
【００３６】
図６に第二の潜像画線（７Ｂ）の作製方法を示す。まず、正反射光下で潜像画像として出現させたい画像の一つを、第二の基画像（８Ｂ）として設定する。第一の実施の形態において、第二の基画像（８Ｂ）とは、桜の花びらを表した画像である。まず、Ｓ１方向と平行な方向（横方向）には第二の基画像（８Ｂ）よりも短い幅（Ｌ）、第一の方向（Ｓ１方向）と直交する方向（高さ方向）に、第二の基画像（８Ｂ）よりも長い高さ（Ｈ）の大きさである、特定の大きさの第二のフレーム（９Ｂ）を設定し、第二の基画像（８Ｂ）の高さ方向が少なくとも含まれる位置関係に第二のフレーム（９Ｂ）を配置する。このとき、第二のフレーム（９Ｂ）内に収まった第二の基画像（８Ｂ）だけを取り出す。この画像をフレーム内画像（１０Ｂ）と呼ぶ。このフレーム内画像（１０Ｂ）を第一の方向（Ｓ１方向）に特定の縮率によって第三の画線幅（Ｗ３）に圧縮することで、一つの第二の潜像画線（７Ｂ）を構成する。
【００３７】
本発明でいう、潜像画線（７）とは、塗りつぶされた画像のみを指すものではなく、フレーム内画像を圧縮して作られた、特定の画線幅（図６（ａ）の例では、第三の画線幅（Ｗ３））内に含まれる全てを指すものとする。すなわち、塗られていない空白を含めて潜像画線（７）とし、潜像画線の中心とは、特定の画線幅（図６（ｂ）の例では、第三の画線幅（Ｗ３））の半分にあたる位置をいう。
【００３８】
図７に第二の潜像画線群（５Ｂ）の作製方法を示す。作製方法の例では、Ａ側にある第二の潜像画線１（７Ｂ−１）から、第二の潜像画線２（７Ｂ−２）、第二の潜像画線３（７Ｂ−３）と順に作製し、最後に第二の潜像画線ｎ（７Ｂ−ｎ）を作製して第二の潜像画線群（５Ｂ）を完成させる例について説明する。
【００３９】
まず、最もＡ側にある第二の潜像画線１（７Ｂ−１）を作製するにあたっては、第二の基画像（８Ｂ）の最もＡ側部分の画像がわずかに触れる位置に、第二のフレーム１（９Ｂ−１）を配置する。次に、フレーム内画像１（１０Ｂ−１）を作製し、特定の縮率で圧縮して、第三の画線幅（Ｗ３）の第二の潜像画線１（７Ｂ−１）を作製して、任意の位置に配置する。
【００４０】
次に、第二の基画像（８Ｂ）の位置を固定したまま、第二のフレーム１（９Ｂ−１）の位置から第一の方向（Ｓ１方向）に第一のピッチ（Ｐ１）だけ平行にずらした位置に、第二のフレーム１（９Ｂ−１）と同じ大きさの第二のフレーム２（９Ｂ−２）を配置する。続いて、フレーム内画像２（１０Ｂ−２）を作製し、特定の縮率で圧縮して、第三の画線幅（Ｗ３）の第二の潜像画線２（７Ｂ−２）を作製して、先ほど作製した第二の潜像画線１（７Ｂ−１）の位置を基準として、第一の方向（Ｓ１方向）に第一のピッチ（Ｐ１）だけ平行にずらした位置に、第二の潜像画線２（７Ｂ−２）を配置する。
【００４１】
次に、先ほどと同様に、第二の基画像（８Ｂ）の位置を固定したまま、第二のフレーム２（９Ｂ−２）の位置から第一の方向（Ｓ１方向）に第一のピッチ（Ｐ１）だけ平行にずらした位置に、第二のフレーム１（９Ｂ−１）と同じ大きさの第二のフレーム３（９Ｂ−３）を配置する。続いて、フレーム内画像３（１０Ｂ−３）を作製し、特定の縮率で圧縮して、第三の画線幅（Ｗ３）の第二の潜像画線３（７Ｂ−３）を作製して、先ほど作製した第二の潜像画線２（７Ｂ−２）の位置を基準として、第一の方向（Ｓ１方向）に第一のピッチ（Ｐ１）だけ平行にずらした位置に、第二の潜像画線３（７Ｂ−３）を配置する。
【００４２】
この作業を繰り返すことで第二の基画像（８Ｂ）のＡ´側にフレームが達し、最終的にフレーム内部に何も含まれなくなる直前のフレーム位置を最終の第二のフレームである第二のフレームｎ（９Ｂ−ｎ）とし、この第二のフレーム内画像ｎ（１０Ｂ−ｎ）から作られる第二の潜像画線（７Ｂ）を第二の潜像画線ｎ（７Ｂ−ｎ）とする。第二の潜像画線ｎ（７Ｂ−ｎ）を配置した段階で、第二の潜像画線群（５Ｂ）が完成する。以上の手順で第二の潜像画線群（５Ｂ）を作製する。
【００４３】
図８に、もう一方の潜像画線群である、第一の潜像画線群（５Ａ）を示す。第一の潜像画線群（５Ａ）は、第二の画線幅（Ｗ２）を有する第一の潜像画線（７Ａ）が、第一の方向（図中Ｓ１方向）に第一のピッチ（Ｐ１）で複数配置されて成る。第一の潜像画線群（５Ａ）は、桜の蕾の画像を第一の基画像（８Ａ）として構成された第一の潜像画線（７Ａ）の集合である。
【００４４】
それぞれの第一の潜像画線（７Ａ）は、それぞれ異なる形状を有する。第一の潜像画線群（５Ａ）は、Ａ側から、第一の潜像画線１（７Ａ−１）、第一の潜像画線２（７Ａ−２）、第一の潜像画線３（７Ａ−３）・・・第一の潜像画線ｎ（７Ａ−ｎ）が、第一の方向（Ｓ１方向）に向かって第一のピッチ（Ｐ１）で順にＡ´側へと配置されて構成される。第一の潜像画線（７Ａ）及び第一の潜像画線群（５Ａ）の具体的な作製方法については、第二の潜像画線（７Ｂ）及び第二の潜像画線群（５Ｂ）と同じであるため、説明を省略する。
【００４５】
次に、合成潜像画線群（５）について説明する。合成潜像画線群（５）は、第一の潜像画線群（５Ａ）と第二の潜像画線群（５Ｂ）を組み合わせることで作製する。合成潜像画線群（５）は、一見して第一の潜像画線群（５Ａ）と第二の潜像画線群（５Ｂ）が重なり合ったような構成を取る。合成潜像画線群（５）の中の第一の潜像画線群（５Ａ）と第二の潜像画線群（５Ｂ）は、領域的に少なくも一部が重なり合う構成をとる。「領域的に重なり合う」とは、二つの画像の配置された場所が重畳するという意味である。
【００４６】
図９に、第一の潜像画線群（５Ａ）と第二の潜像画線群（５Ｂ）の配置について示す。合成潜像画線群（５）の中の第一の潜像画線群（５Ａ）と第二の潜像画線群（５Ｂ）は、領域的に少なくも一部が重なり合うが、第一の潜像画線群（５Ａ）の画像の幅の中心と、第二の潜像画線群（５Ｂ）の画像の幅の中心は重なってはならず、第一の方向（Ｓ１）と平行な、いずれかの方向（右方向か左方向）に位相がずれている必要がある。これについては後記する。逆に第一の方向（Ｓ１）と直交する方向には、画像の中心は重なっていても良い。
【００４７】
図１０に合成潜像画線群（５）の詳細な構造を示す。合成潜像画線群（５）の中の第一の潜像画線群（５Ａ）と第二の潜像画線群（５Ｂ）は、領域的には重なり合うものの、それぞれの潜像画線群を構成する要素同士は重なり合わない。すなわち、第一の潜像画線群（５Ａ）を構成する第一の潜像画線（７Ａ）と、第二の潜像画線群（５Ｂ）を構成する第二の潜像画線（７Ｂ）とは重なり合わない。合成潜像画線群（５）の中では、第一の潜像画線（７Ａ）と、第二の潜像画線（７Ｂ）とが交互に配置されて成る。なお、図１０、図１１、図１３、図２３、図２４、図３３及び図３４では、実際に作製した画像を大きくデフォルメした図を用いて説明しているため、実際に作製した図とはピッチや画線幅等が異なる。また、図１０に関しては、第一の潜像画線（７Ａ）と第二の潜像画線（７Ｂ）とを解りやすいようにパターンを変えて記したが、実際はこのような違いはない。
【００４８】
また、第一の潜像画線（７Ａ）と、第二の潜像画線（７Ｂ）とは、第一の方向（Ｓ１方向）と直交する方向の辺（高さ方向の辺）のうち、少なくとも一方の辺が、蒲鉾状画線（６）上で接していることが望ましい。図１０の拡大図においては、第一の潜像画線（７Ａ）のＡ´側の辺と、第二の潜像画線（７Ｂ）のＡ側の辺とが密接している。このように第一の潜像画線（７Ａ）と第二の潜像画線（７Ｂ）を密接させる構成は、一つの基画像から、もう一つの基画像へと画像をチェンジさせる場合に、画像が途切れることなくスムーズにチェンジする効果を生じさせることができるため、望ましい。
【００４９】
合成潜像画線群（５）には、盛り上がりは必須ではなく、このため、如何なる印刷方式で形成しても良い。生産性を考えれば、オフセット印刷で形成することが最も好ましい。正反射光下で潜像画像を可視化するために、潜像画線（７）は正反射時に蒲鉾状画線（６）との間に色差が生じる必要があり、少なくとも反射時の色彩が前述の蒲鉾状画線（６）の正反射時の色彩と異なっている必要がある。また、潜像画線（７）は、蒲鉾状画線（６）の上に重ねて形成されるために、潜像画線（７）の下の蒲鉾状画線（６）に入射する光を遮断し、正反射光下で生じる蒲鉾状画線（６）の色彩変化を抑制する働きをなす。このため、潜像画線（７）が重なっているか否かによって、蒲鉾状画線（６）からの正反射時の色彩に、より大きな違いが生じる。潜像画像の視認性をより高めるためには、潜像画線（７）が高い光遮断性を備えていることが望ましい。
【００５０】
そのため、合成潜像画線群（５）を印刷で形成する場合には、低光沢なマットインキを用いることが望ましい。また、これらのインキにチタンのような光遮断性の高い機能性材料を配合すると、より高い効果を得ることができる。また、合成潜像画線群（５）は、拡散反射光下で不可視であることが望ましいことから、無色透明又は半透明程度の色彩であることが望ましい。ただし、品質管理を容易にするために、わずかに着色顔料を配合してインキを着色したり、透明インキに蛍光顔料を配合して、ＵＶランプを用いて脱刷や印刷不良等の異常を管理することができる構成とすることもできる。
【００５１】
また、合成潜像画線群（５）は、インキで形成するだけでなく、ＩＪＰプリンターやレーザープリンターを用いて形成しても良い。また、合成潜像画線群（５）にあたる画像を蒲鉾状画線（６）に切削して付与することで形成することもできる。このような切削は、レーザー加工機を用いることで容易に実施することができる。レーザーが照射された蒲鉾状画線（６）は、多くの場合、明暗フリップフロップ性やカラーフリップフロップ性が失われるか、又は大きく低下するため、光学的変化が生じ、潜像画像を形成することができる。これらのプリンターやレーザー加工機を用いる場合には、一枚一枚異なる情報を与える可変情報を容易に付与することができるという特徴がある。
【００５２】
図１１に蒲鉾状画線群（４）の上に合成潜像画線群（５）が重なった印刷画像（３）を示し、二つの画線群の重なり合いの適切な位置関係について説明する。印刷画像（３）を形成するにあたっては、蒲鉾状画線群（４）におけるそれぞれの蒲鉾状画線（６）の上に、合成潜像画線群（５）を構成する第一の潜像画線（７Ａ）と第二の潜像画線（７Ｂ）の両画線における少なくとも一部が重なる必要がある。蒲鉾状画線（６）の上に重ならなかった第一の潜像画線（７Ａ）と第二の潜像画線（７Ｂ）は、正反射光下で潜像画像として可視化されないため、必ず一部で重なる必要がある。また、蒲鉾状画線（６）と、第一の潜像画線（７Ａ）及び第二の潜像画線（７Ｂ）は、略平行に重なる必要がある。
【００５３】
前述したとおり、蒲鉾状画線（６）の上に第一の潜像画線（７Ａ）と第二の潜像画線（７Ｂ）の両画線における少なくとも一部が重なる必要はあるが、蒲鉾状画線（６）の第一の画線幅（Ｗ１）と、第一の潜像画線（７Ａ）の第二の画線幅（Ｗ２）、第二の潜像画線（７Ｂ）の第三の画線幅（Ｗ３）に関しては、細かい制限はない。
【００５４】
また、前述の蒲鉾状画線（６）上の重なりの程度は、前述の第一の潜像画線（７Ａ）の幅の割合と前述の第二の潜像画線（７Ｂ）の幅の割合がそれぞれの前述の蒲鉾状画線（６）において、全て同じ比率とする必要がある。すなわち、ある蒲鉾状画線（６）の画線表面を、第一の潜像画線（７Ａ）が５０％、第二の潜像画線（７Ｂ）が５０％占めていたとすると、印刷画像（３）中のその他の全ての蒲鉾状画線（６）の画線表面において、第一の潜像画線（７Ａ）が５０％、第二の潜像画線（７Ｂ）が５０％を占めている関係が成り立つ必要がある。この関係がくずれ、ある蒲鉾状画線（６）の画線表面において、第一の潜像画線（７Ａ）が５０％、第二の潜像画線（７Ｂ）が５０％を占め、別の蒲鉾状画線（６）の画線表面において、第一の潜像画線（７Ａ）が３０％、第二の潜像画線（７Ｂ）が７０％を占めている場合には、本発明の意図する動画効果とチェンジ効果は生じない。
【００５５】
蒲鉾状画線（６）上に重なる第一の潜像画線（７Ａ）の割合と、第二の潜像画線（７Ｂ）の割合を制御することで、正反射光下で出現する第一の基画像（８Ａ）と、第二の基画像（８Ｂ）の観察角度の範囲を調整することができる。仮に製作者が、第一の基画像（８Ａ）と、第二の基画像（８Ｂ）とを特にどちらの画像も強調せず、同じ程度の観察角度の範囲で見せたいと希望した場合、蒲鉾状画線（６）の上に重なる第一の潜像画線（７Ａ）の割合と、第二の潜像画線（７Ｂ）の割合を同じ程度にすれば良い。すなわち、図１１に示すように、蒲鉾状画線（６）の盛り上がり中心を境に、一方の画線表面には、第一の潜像画線（７Ａ）が、他方の画線表面には、第二の潜像画線（７Ｂ）が重なる位置関係とし、それぞれの重なり合いの幅の割合を５０％程度とした場合、正反射光下で出現する第一の基画像（８Ａ）と、第二の基画像（８Ｂ）とは、同じ程度の観察角度の範囲で観察することができる形態となる。  
【００５６】
具体的な角度の例としては、仮に潜像画像が正反射光下２５度から６５度の範囲で可視化されるとすると、画線表面に第一の潜像画線（７Ａ）が５０％、第二の潜像画線（７Ｂ）が５０％重なった構成の場合、正反射光下、２５度から４５度の２０度の範囲で第一の基画像（８Ａ）が観察され、４５度から６５度の２０度の角度範囲で第二の基画像（８Ｂ）が観察される形態となる。また、画線表面に第一の潜像画線（７Ａ）が２５％、第二の潜像画線（７Ｂ）が７５％重なった構成の場合、正反射光下、２５度から３５度の１０度の範囲で第一の基画像（８Ａ）が観察され、３５度から６５度の３０度の角度範囲で第二の基画像（８Ｂ）が観察される形態となる。また、画線表面に第一の潜像画線（７Ａ）が７５％、第二の潜像画線（７Ｂ）が２５％重なった構成の場合、正反射光下、２５度から５５度の３０度の範囲で第一の基画像（８Ａ）が観察され、５５度から６５度の１０度の角度範囲で第二の基画像（８Ｂ）が観察される形態となる。以上のように、蒲鉾状画線（６）上に重なるそれぞれの潜像画線の幅の割合を制御することで、出現する画像がそれぞれ視認される角度範囲を任意に調整することができる。
【００５７】
また、第一の潜像画線（７Ａ）と第二の潜像画線（７Ｂ）とが密接している辺（図１０に示す例では、第一の潜像画線（７Ａ）のＡ´側の辺）と、第二の潜像画線（７Ｂ）のＡ側の辺とが密接している一辺は、蒲鉾状画線（６）の上に重なることが、画像が途切れなくスムーズにチェンジする効果を生じさせる上で望ましい。第一の実施の形態では、蒲鉾状画線（６）の中心からＡ側の画線表面に第一の潜像画線（７Ａ）が、Ａ´側の画線表面に第二の潜像画線（７Ｂ）が重なる位置関係とした。
【００５８】
図１２に、第一の実施の形態における潜像印刷物（１）の効果を示す。拡散反射光下において、潜像画像は不可視であり、蒲鉾状画線群（４）に特定の色彩が付与されている場合には、蒲鉾状画線群（４）のみが視認される（図示せず）。蒲鉾状画線群（４）が透明な材料で形成されている場合には、拡散反射光下において、いずれの画像も視認することができない（図示せず）。
【００５９】
本発明の潜像印刷物（１）を正反射光下で観察した場合、図１２（ａ）に示すように、正反射光下にある観察者の視点（１１）が、Ａよりにある場合には印刷画像（３）の中に、第一の基画像（８Ａ）が潜像として再生され、わずかに角度を変化させることにより第一の方向（Ｓ１方向）とは逆方向に動いて見える。また、図１２（ｂ）に示すように、正反射光下にある観察者の視点（１１）を、ややＡ´側に変化させた場合、印刷画像（３）の中の第一の基画像（８Ａ）が第一の方向（Ｓ１方向）とは逆方向に動きながら特定の観察角度において第二の基画像（８Ｂ）へとスムーズにチェンジする。続いて、図１２（ｃ）に示すように、正反射光下にある観察者の視点（１１）を、よりＡ´側近くに変化させた場合、印刷画像（３）の中の第二の基画像（８Ｂ）が第一の方向（Ｓ１方向）とは逆方向へと動いて見える。特に、第一の基画像（８Ａ）が動きながら第二の基画像（８Ｂ）へとチェンジする効果は、極めてスムーズで連続的なつながりのある変化として視認され、蕾と花が別々の物体として認識されることはなく、ひとつの物体が、蕾から花へと変化したように観察される。すなわち、桜の蕾が膨らんで花が咲いたように認識することができる。
【００６０】
また、加えて出現した画像は、潜像印刷物（１）上から浮き上がっているように見える独特の遠近感が生じる。この遠近感は、蕾が動いて見えるとき、動きながら蕾から花へと変化するとき又は花が動いて見えるときのいずれの場面でも同じ距離感で常時発現し続ける。
【００６１】
以上のように、拡散反射光下では、いかなる潜像画像も視認することができないが、正反射光下の観察において、特定の角度範囲で第一の基画像（８Ａ）が潜像として出現し、遠近感を伴いながら動いて観察される。また、ある角度において、第一の基画像（８Ａ）から第二の基画像（８Ｂ）へと画像がスムーズにチェンジし、異なる特定の角度範囲で第二の基画像（８Ｂ）が動いて観察される効果を有する。動画効果と画像のチェンジ効果を同時に、遠近感も伴いながら、いずれの効果も損なうことなく、表現することができる。
【００６２】
以上の効果が生じる原理について説明する。まず、拡散反射光下において、合成潜像画線群（５）は、透明又は半透明で形成されることから不可視であり、蒲鉾状画線群（４）が色彩を有している場合には、蒲鉾状画線群（４）のみがそのままの色彩で視認される。
【００６３】
一方、正反射光下における効果は複雑であるため、まず、正反射光において潜像が可視化される原理について説明し、その後に画像が動きながらチェンジする原理と、遠近感が生じる原理について説明する。まず、正反射光において潜像が可視化され、動いて見える効果が生まれる原理について説明する。蒲鉾状画線群（４）の蒲鉾状画線（６）は、明暗フリップフロップ性及び／又はカラーフリップフロップ性を有するために、強い正反射光を発して色彩が変化する。ただし、蒲鉾状画線（６）は、盛り上がりを有しているため、入射する光の角度に応じて、光を強く正反射する画線表面の位置が異なる。例えば、潜像印刷物（１）のＡ側の方向から光が入射した場合、盛り上がりを有する蒲鉾状画線（６）表面のうち、光を強く正反射するのは、それぞれの画線中心からＡ側にあたる画線表面のみであり、逆に、潜像印刷物（１）のＡ´側の方向から光が入射した場合、蒲鉾状画線（６）表面のうち、光を強く正反射するのは、それぞれの画線中心からＡ´側の方向にあたる画線表面のみである。
【００６４】
以上のように、蒲鉾状画線（６）のような、盛り上がりを有する画線が光を反射する場合、入射する光に対して入射光と法線を成す画線表面を中心に光を反射しており、入射する光の角度に応じて、盛り上がりを有する画線表面のうち、強く光を反射する領域が変化している。また、蒲鉾状画線群（４）を形成している盛り上がりを有する蒲鉾状画線（６）は、同じ立体構造の画線が第一のピッチ（Ｐ１）で繰り返し配置されていることから、蒲鉾状画線群（４）の中の光を反射する領域は、第一のピッチ（Ｐ１）で繰り返し生じる。
【００６５】
蒲鉾状画線（６）の表面には、それぞれ潜像画線（７）が形成されていることから、蒲鉾状画線（６）が光を強く反射した場合には、その画線上に重ねられた潜像画線（７）と蒲鉾状画線（６）とは異なる色彩に変化し、それまで隠蔽されていた潜像画線（７）が可視化される。この場合、可視化される潜像画線（７）は、蒲鉾状画線（６）のうち、光を強く反射した領域に重ねられて形成されていた潜像画線（７）のみであり、それ以外の領域に重ねられて形成されていた潜像画線（７）は隠蔽されたままとなる。
【００６６】
蒲鉾状画線（６）には、第一のピッチ（Ｐ１）で光を強く反射する領域が形成されるため、潜像画線（７）も第一のピッチ（Ｐ１）で可視化される。合成潜像画線群（５）は、基画像（８）から蒲鉾状画線群（４）と同じ第一のピッチ（Ｐ１）で取り出した画像を、特定の割合で圧縮して蒲鉾状画線群（４）と同じ第一のピッチ（Ｐ１）で配置して形成しているため、蒲鉾状画線群（４）と同じピッチで合成潜像画線群（５）をサンプリングした場合には、基画像（８）と同じ画像が潜像画像として再現される。以上が、正反射光下で基画像（８）が潜像画像として出現する原理である。
【００６７】
この際、サンプリングされる幅である、すなわち、それぞれの蒲鉾状画線（６）が光を強く反射する領域の幅が狭い方が、出現する潜像画像はより基画像（８）に近くなり、輪郭がシャープで、画像全体が明瞭に再現される。逆に、その幅が広い場合には、より合成潜像画線群（５）に近く、輪郭がぼやけた不明瞭な状態として再現されてしまう。この状態を防ぐためには、それぞれの盛り上がりを有する画線が光を強く反射する領域を狭くする必要があり、盛り上がりを有する画線の高さをより高くすることが有効である。
【００６８】
次に、出現する潜像画像が第一の基画像（８Ａ）から第二の基画像（８Ｂ）に動きながらチェンジする原理について図１３を用いて説明する。なお、図１３に示すそれぞれの蒲鉾状画線（６−１〜６−１１）は、説明の便宜上、拡大図に示すようにＡ側に近い画線表面（ア）とやや中央よりの画線表面（イ）と、中央の画線表面（ウ）と、Ａ´側に違い画線表面（エ）の４つの領域に分けて示しているが、実際に領域が物理的に分割されているわけではない。
【００６９】
仮に、図１２（ａ）に示すように、観察者の視点（１１）が、Ａ側に近い場合、それぞれの蒲鉾状画線（６）のＡ辺側の画線表面（ア）のみが強い正反射光を発し、図１２（ｂ）に示すように、観察者の視点（１１）が、Ａ´側にやや近い場合、（イ）の領域を経て、それぞれの蒲鉾状画線（６）の盛り上がりの頂点に位置する画線表面（ウ）が強い正反射光を発し、図１２（ｃ）に示すように、観察者の視点（１１）が、Ａ´側に近い場合、それぞれの蒲鉾状画線（６）のＡ´辺側の画線表面（エ）が強い正反射光を発する。
【００７０】
このため、観察者の視点がＡ側からＡ´側へと移動した場合、合成潜像画線群（５）の各潜像画線に含まれた情報が（ア）から（エ）の方向である、すなわち、第一の方向（Ｓ１方向）に同じ位相で同時にサンプリングされて再生される。まず、観察者の視点がＡ側にある場合、それぞれの蒲鉾状画線（６）の（ア）の領域にある潜像画線の情報が再生される。（ア）の領域に潜像画線が重ねられている蒲鉾状画線（６）は、６−７から６−１１の蒲鉾状画線（６）であるから、６−７から６−１１の潜像画線の（ア）の領域の情報である、すなわち、第一の基画像（８Ａ）がサンプリングされて再生される。
【００７１】
観察者の視点がＡ側からＡ´側へとわずかに移動した場合、サンプリングされる情報は、各蒲鉾状画線（６）の（ア）の領域から（イ）の領域へとシフトする。この状態では各蒲鉾状画線（６）の（イ）の領域の潜像画像の情報が再生される。（イ）の領域に潜像画線が重ねられている蒲鉾状画線（６）は、６−６から６−１０の蒲鉾状画線（６）であるから、６−６から６−１０の潜像画線の（イ）の領域の情報である、すなわち、第一の基画像（８Ａ）がややＡ辺よりに移動した情報がサンプリングされて再生される。
【００７２】
さらに、観察者の視点がＡ側からＡ´側へと移動した場合、サンプリングされる情報は、各蒲鉾状画線（６）の画線中心である（ウ）の領域へとシフトする。この状態でサンプリングされるのは、６−３から６−１１の潜像画線の（ウ）の領域の情報である、すなわち、第一の基画像（８Ａ）と第二の基画像（８Ｂ）の情報が同時に再生され、二つの基画像が混ざり合う状態となる。第一の実施の形態において、第一の潜像画線（７Ａ）と第二の潜像画線（７Ｂ）は、各蒲鉾状画線（６）の盛り上がりの頂点を境に画線表面のＡ側とＡ´側にわかれているため、各蒲鉾状画線（６）の正反射する画線表面が、各蒲鉾状画線（６）の中心から極わずかにＡ辺側へとずれた場合には、まざりあった画像の中の二つの基画像のうち、第一の基画像（８Ａ）の画像が相対的に強く見え、各蒲鉾状画線（６）の正反射する画線表面が各蒲鉾状画線（６）の中心から極わずかにＡ´辺側へとずれた場合には、まざりあった画像の中の二つの基画像のうち、第二の基画像（８Ｂ）の画像が相対的に強く見える。わずかな角度の変化でまざりあった画像の中のそれぞれの基画像の視認性のバランスが変わるため、一定の方向に観察角度を変化させた場合には、極めてスムーズに第一の基画像（８Ａ）から第二の基画像（８Ｂ）へと画像が変化し、画像の構成としては、チェンジ効果を付与する構成を用いているにも関わらず、モーフィングのような効果を得ることができる。
【００７３】
さらに、観察者の視点がＡ´側へと大きく移動した場合、サンプリングされる情報は、各蒲鉾状画線（６）の中心から（エ）の領域へとシフトする。この状態でサンプリングされるのは、６−１から６−９の潜像画線の（エ）の領域の情報である、すなわち、第二の基画像（８Ｂ）が、Ａ辺寄りにある情報が再生される。以上の原理で画像に動画効果とチェンジ効果が生じる。
【００７４】
また、潜像印刷物（１）に正対して観察した場合、右眼と左眼とでは、入射した光が印刷物で反射して眼に入る角度がわずかに異なるため、蒲鉾状画線（６）の光を反射する画線表面もわずかに異なっている。このため、出現する潜像画像は、右眼から見た場合と左から見た場合では、水平方向の位相が異なり、これによって両眼視差に起因する立体的な視覚効果が生じる。例えば、潜像画像が右眼から見た場合よりも左眼から見た場合の方が、右にある場合には、潜像画像は印刷物の表面よりも手前にあるように感じられる。逆に、潜像画像が右眼から見た場合よりも左眼から見た場合の方が、左にある場合には、潜像画像は印刷物の表面よりも奥にあるように感じられる。この立体的な視覚効果を生じさせるためには、観察者から見て水平方向に画像が動いて見える効果が必須であるため、蒲鉾状画線（６）を垂直方向に近い角度で並べたほうが、この効果は高くなる。
【００７５】
以上が、本発明の潜像印刷物（１）において、潜像印刷物（１）が光を強く反射した場合に潜像画像として基画像（８）が出現し、動画効果、画像のチェンジ効果及び立体的な視覚効果が生じる原理である。
【００７６】
（第二の実施の形態）
第二の実施の形態における潜像印刷物について、第一の実施の形態とは逆方向に潜像画像が動き、遠近感も逆転して潜像画像が奥側にあるように見える形態について、説明する。
【００７７】
図１４に、本発明における潜像印刷物（１´）を示す。図１４（ａ）に示すのは、潜像印刷物（１´）の正面図であり、図１（ｂ）に示すのは、潜像印刷物（１´）のＡＡ´ラインにおける断面図である。潜像印刷物（１´）は、基材（２´）の上に、印刷画像（３´）が形成されてなる。基材（２´）及び印刷画像（３´）の条件については、第一の実施の形態と同じであるため、説明を省略する。
【００７８】
本発明の印刷画像（３´）の構成の概要を図１５に示す。印刷画像（３´）は、蒲鉾状画線群（４´）の上に、合成潜像画線群（５´）が重ね合わさってなる。蒲鉾状画線群（４´）は、図１６に示すように、盛り上がりを有する蒲鉾形状を有した、第一の画線幅（Ｗ１）を有する蒲鉾状画線（６´）が第一のピッチ（Ｐ１）で第一の方向（図中Ｓ１方向）に複数配置されることで形成される。この蒲鉾状画線群（４´）は、第一の実施の形態で説明した構成と同じである。
【００７９】
蒲鉾状画線（６）は、拡散反射光下においては特定の色彩を有すか、透明又は半透明であって、明暗フリップフロップ性及び／又はカラーフリップフロップ性を有し、正反射光下では拡散反射光下と異なる色彩へと変化する特性を有する。また、蒲鉾状画線（６）は、盛り上がり高さを有する必要がある。
【００８０】
次に、合成潜像画線群（５´）について具体的に説明する。第二の実施の形態における潜像印刷物の構成と第一の実施の形態における潜像印刷物の構成との違いは、合成潜像画線群（５´）の構成のみである。図１７は、合成潜像画線群（５´）であり、第一の潜像画線群（５Ａ´）と第二の潜像画線群（５Ｂ´）とを有する。第一の潜像画線群（５Ａ´）と第二の潜像画線群（５Ｂ´）は、領域的に重なり合って配置される。
【００８１】
第二の実施の形態で説明する合成潜像画線群（５´）は、第一の潜像画線群（５Ａ´）と第二の潜像画線群（５Ｂ´）の二つの潜像画線群からなるが、二つの潜像画線群の基本的な構造及び作製方法は、第一の実施の形態と同じである。第二の実施の形態においても、第二の潜像画線群（５Ｂ´）を代表例として用いて、その潜像画線群の構造と、作製方法について説明する。
【００８２】
図１８に、第二の潜像画線群（５Ｂ´）を示す。第二の潜像画線群（５Ｂ´）は、第三の画線幅（Ｗ３）を有する第二の潜像画線（７Ｂ´）が、第一の方向（図中Ｓ１方向）に第一のピッチ（Ｐ１）で複数配置されてなる。それぞれの第二の潜像画線（７Ｂ´）は、それぞれ異なる形状を有する。第二の潜像画線群（５Ｂ´）は、A側から、第二の潜像画線１（７Ｂ−１´）、第二の潜像画線２（７Ｂ−２´）、第二の潜像画線３（７Ｂ−３´）・・・第二の潜像画線ｎ（７Ｂ−ｎ´）が、第一の方向（Ｓ１方向）に向かって第一のピッチ（Ｐ１）で順にＡ´側へと配置されて構成される。配置ピッチや画線幅は、第一の実施の形態と同じであるが、それぞれの第二の潜像画線（７Ｂ´）の構成が異なっている。具体的には、それぞれの第二の潜像画線（７Ｂ´）は、ミラー反転された構成となっている。
【００８３】
図１９に第二の潜像画線（７Ｂ´）の作製方法を示す。まず、正反射光下で潜像画像として出現させたい画像の一つを、第二の基画像（８Ｂ´）として設定する。第二の実施の形態において、第二の基画像（８Ｂ´）とは、第一の実施の形態同様に、桜の花びらを表した画像である。まず、Ｓ１方向と平行な方向（横方向）には、第二の基画像（８Ｂ´）よりも短い幅（Ｌ）、第一の方向（Ｓ１方向）と直交する方向（高さ方向）に第二の基画像（８Ｂ´）よりも長い高さ（Ｈ）の大きさの特定の大きさの第二のフレーム（９Ｂ´）を設定し、第二の基画像（８Ｂ´）の高さ方向が少なくとも含まれる位置関係に第二のフレーム（９Ｂ´）を配置する。このとき、第二のフレーム（９Ｂ´）内に収まった第二の基画像（８Ｂ´）だけを取り出す。この画像をフレーム内画像（１０Ｂ´）と呼ぶ。ここまでの手順は、第一の実施の形態と同様である。第二の実施の形態においては、フレーム内画像（１０Ｂ´）の画像中心を軸にミラー反転させ、反転フレーム内画像（１０ＢＲ´）を一旦作製する。そして、この反転フレーム内画像（１０ＢＲ´）を第一の方向（Ｓ１方向）に特定の縮率によって第三の画線幅（Ｗ３）に圧縮することで、一つの第二の潜像画線（７Ｂ´）を構成する。なお、第二の潜像画線（７Ｂ´）は、フレーム内画像（１０Ｂ´）を第三の画線幅（Ｗ３）に圧縮した後に、ミラー反転しても問題ない。
【００８４】
図２０に第二の潜像画線群（５Ｂ´）の作製方法を示す。具体的な手順は、第一の実施の形態と同様であるから省略するが、A側にある第二の潜像画線１（７Ｂ−１´）から、第二の潜像画線２（７Ｂ−２´）、第二の潜像画線３（７Ｂ−３´）と順に作製し、最後に第二の潜像画線ｎ（７Ｂ−ｎ´）を作製して第二の潜像画線群（５Ｂ´）を配置すれば良い。第一の実施の形態のとの違いは、潜像画線（７Ｂ´）を作る前に、フレーム内画像（１０Ｂ´）を、一旦、反転フレーム内画像（１０ＢＲ´）とする必要があることである。
【００８５】
図２１に、もう一方の潜像画線群である、第一の潜像画線群（５Ａ´）を示す。第一の潜像画線群（５Ａ´）は、第二の画線幅（Ｗ２）を有する第一の潜像画線（７A´）が、第一の方向（図中Ｓ１方向）に第一のピッチ（Ｐ１）で複数配置されて成る。第一の潜像画線群（５Ａ´）は、桜の蕾の画像を第一の基画像（８Ａ´）として構成された第一の潜像画線（７Ａ´）の集合である。
【００８６】
それぞれの第一の潜像画線（７Ａ´）は、それぞれ異なる形状を有する。第一の潜像画線群（５Ａ´）は、Ａ側から、第一の潜像画線１（７Ａ−１´）、第一の潜像画線２（７Ａ−２´）、第一の潜像画線３（７Ａ−３´）・・・第一の潜像画線ｎ（７Ａ−ｎ´）が、第一の方向（Ｓ１方向）に向かって第一のピッチ（Ｐ１）で順にＡ´側へと配置されて構成される。第一の潜像画線群（５Ａ´）を構成するそれぞれの第一の潜像画線（７Ａ´）は、第二の潜像画線（７Ｂ´）と同様にミラー反転されてなる。具体的な作製方法については、第二の潜像画線（７Ｂ´）及び第二の潜像画線群（５Ｂ´）と同じであるため、説明を省略する。
【００８７】
続いて、合成潜像画線群（５´）について説明する。合成潜像画線群（５´）は、第一の潜像画線群（５Ａ´）と第二の潜像画線群（５Ｂ´）を組み合わせることで作製する。合成潜像画線群（５´）は、第一の実施の形態と同様に、第一の潜像画線群（５Ａ´）と第二の潜像画線群（５Ｂ´）とが、領域的に少なくも一部が重なり合う構成としている。
【００８８】
合成潜像画線群（５´）の中の第一の潜像画線群（５Ａ´）における画像の中心と、第二の潜像画線群（５Ｂ´）における画像の中心は重なってはならず、第一の方向（Ｓ１）方向と平行な、いずれかの方向（右方向か左方向）に位相がずれている必要がある。第二の実施の形態の合成潜像画線群（５´）中の第一の潜像画線群（５Ａ´）における画像の中心と、第二の潜像画線群（５Ｂ´）における画像の中心とは、第一の実施例とは逆の方向に位相がずれてなる。
【００８９】
図２３に合成潜像画線群（５´）の詳細な構造を示す。合成潜像画線群（５´）の中の第一の潜像画線群（５Ａ´）と第二の潜像画線群（５Ｂ´）は、領域的には重なり合うものの、それぞれの潜像画線群を構成する要素同士は重なり合わず、合成潜像画線群（５´）の中では、第一の潜像画線（７Ａ´）と第二の潜像画線（７Ｂ´）とが交互に配置されて成る。
【００９０】
また、第一の実施の形態と同様に、第一の潜像画線（７Ａ´）と、第二の潜像画線（７Ｂ´）とは、第一の方向（Ｓ１方向）と直交する方向の辺（高さ方向の辺）のうち、少なくとも一方の辺で密接していることが望ましい。図２３の拡大図においては、第一の潜像画線（７Ａ´）のＡ´側の辺と、第二の潜像画線（７Ｂ´）のＡ側の辺とが密接している。第一の実施の形態と同様に、潜像画線（７´）は、正反射時に蒲鉾状画線（６´）との間に色差が生じる必要があり、少なくとも反射時の色彩が前述の蒲鉾状画線（６´）の正反射時の色彩と異なっている必要がある。
【００９１】
図２４に蒲鉾状画線群（４´）の上に合成潜像画線群（５´）が重なった印刷画像（３´）を示し、二つの画線群の重なり合いの適切な位置関係について説明する。印刷画像（３´）を形成するにあたっては、蒲鉾状画線群（４´）のそれぞれの蒲鉾状画線（６´）の上に、合成潜像画線群（５´）を構成する第一の潜像画線（７Ａ´）と第二の潜像画線（７Ｂ´）の少なくとも一部が重なる必要がある。また、蒲鉾状画線（６´）と、第一の潜像画線（７Ａ´）及び第二の潜像画線（７Ｂ´）は、略平行に重なる必要がある。
【００９２】
また、第一の潜像画線（７Ａ´）と、第二の潜像画線（７Ｂ´）とが、密接している辺（図２４に示す例では、第一の潜像画線（７Ａ´）のＡ´側の辺）と、第二の潜像画線（７Ｂ´）のA側の辺とが密接している一辺は、蒲鉾状画線（６´）の上に重なることが望ましい。第二の実施の形態では、蒲鉾状画線（６´）の中心からＡ側の画線表面には、第一の潜像画線（７Ａ´）が、Ａ´側の画線表面には、第二の潜像画線（７Ｂ´）が重なる位置関係とした。
【００９３】
図２５に、第二の実施の形態における潜像印刷物（１´）の効果を示す。拡散反射光下において、潜像画像は不可視であり、蒲鉾状画線群（４´）に特定の色彩が付与されている場合には、蒲鉾状画線群（４´）のみが視認される(図示せず)。蒲鉾状画線群（４´）が透明な材料で形成されている場合には、拡散反射光下において、いずれの画像も視認することができない（図示せず）。
【００９４】
本発明の潜像印刷物（１´）を正反射光下で観察した場合、図２５（ａ）に示すように、正反射光下にある観察者の視点（１１´）が、Ａよりにある場合には、印刷画像（３´）の中に第一の基画像（８Ａ´）が潜像として再生され、わずかに角度を変化させることにより第一の方向（Ｓ１方向）に動いて見える。この動きの方向は、第一の実施の形態とは逆の方向となる。また、図２５（ｂ）に示すように、正反射光下にある観察者の視点（１１´）を、ややＡ´側に変化させた場合、印刷画像（３´）の中の第一の基画像（８Ａ´）が第一の方向（Ｓ１方向）に動きながら特定の観察角度において第二の基画像（８Ｂ´）へとスムーズにチェンジする。続いて、図２５（ｃ）に示すように、正反射光下にある観察者の視点（１１´）を、よりＡ´側近くに変化させた場合、印刷画像（３´）の中の第二の基画像（８Ｂ´）が第一の方向（Ｓ１方向）へ動いて見える。第一の実施の形態と同様に、第一の基画像（８Ａ´）が動きながら第二の基画像（８Ｂ´）へとチェンジする効果が連続的に視認され、その変化は極めてスムーズであることから、蕾と花が別々の物体として認識されることなく、ひとつの物体が、蕾から花へと変化したように観察される。すなわち、桜の蕾が膨らんで花が咲いたように認識することができる。
【００９５】
また、加えて出現した画像は、基材（２´）上より奥側に沈みこんでいるように見える独特の遠近感が生じる。この遠近感は蕾が動いて見える場面、動きながら蕾から花へと変化する場面及び花が動いて見える場面において、それぞれで同じ距離感で常時発現し続ける。
【００９６】
各潜像画線をミラー反転させた場合、各潜像画線（７´）中の基画像（８´）の位置情報が反転する。このため、潜像画像の動きの方向が逆方向に変化する。また、動き方向が変化するだけでなく、遠近感も逆転する。潜像画線（７´）をミラー反転させない場合、出現する潜像画像は、印刷画像（３´）自体よりも手前に存在するように感じられ、潜像画線（７´）をミラー反転させた場合、出現する潜像画像は印刷画像（３´）自体よりも奥に存在するように感じられる。このように遠近感が逆転する原因は、ミラー反転の有無により潜像画像の動きの方向が逆方向に変化し、右眼で捉える潜像画像の位置と、左眼で捉える潜像画像の位置が逆転するために両眼視差に起因する遠近感も逆転するためである。
【００９７】
第二の実施の形態の潜像印刷物（１´）においては、合成潜像画線群（５´）の構成を変えること、具体的には合成潜像画線群（５´）を構成するそれぞれの潜像画線をミラー反転する手順を加えることで、潜像画像のチェンジ効果を損なうことなく、正反射光下における潜像画像の動きの方向と、遠近感を逆転させることができる。
【００９８】
また、図２６に示すように、第一の実施の形態で示した合成潜像画線群（５）の構成と  第二の実施の形態で示した合成潜像画線群（５´）の構成とを、一つの印刷画像（３´´）の中に構成するとより効果的である。このような構成とした場合、図２７に示すように、チェンジする潜像画像がそれぞれ逆方向に移動する。それぞれの潜像画像が逆方向に動くと、その効果は格段に認識しやすくなり、判別性も向上するため、より望ましい。
【００９９】
第一及び第二の実施の形態における蒲鉾状画線群（４）や合成潜像画線群（５）のピッチは、０．０５ｍｍ以上１．０ｍｍ以下で形成する。０．０５ｍｍ以下のピッチは、蒲鉾状画線（６）に３μｍ以上の盛り上がりを形成する場合には、一般的な印刷で再現できる要素のピッチとしてはほぼ限界のピッチであり、印刷物品質の安定性に欠ける上に、たとえ、０．０５ｍｍ以下のピッチで画線を形成できた場合でも、ほとんどの場合、出現する潜像画像の視認性が極端に低くなるため適当ではない。また、１.０ｍｍ以上のピッチで形成した場合には、潜像画像として再現することができる画像の解像度が極端に低くなってしまうため、同様に適切ではない。なお、本発明において、説明した蒲鉾状画線（６）の盛り上がり高さや画線群のピッチの数値は、株券、有価証券、証紙及び商品券等の金券類、旅券、通帳類、運転免許証又は身分証明書等の偽造防止が必要な印刷物に対しての良好な条件の一例であり、看板やポスター類等の大型の印刷物に使用する場合には、前述した蒲鉾状画線（６）の盛り上がり高さや画線群のピッチの数値を、使用する目的の印刷物の大きさに応じて調整すれば良い。
【０１００】
また、潜像画線（７）を作製するにあたって、基画像（８）を取り出すフレームの幅（Ｌ）を潜像画線の要素幅（Ｗ２及びＷ３）で割って求められる比率（縮率）を変えることで、出現する潜像画像の動きの早さや動き幅の大きさを制御することができる。縮率を大きく設計した場合には、出現した潜像画像が傾けた場合に早く動き、動きの幅も大きくなる。縮率を小さく設計した場合には、出現した潜像画像が傾けた場合に遅く動き、動きの幅も小さくなる。ただし、動きの早さや幅の大きさと、出現する潜像画像のシャープさはトレードオフの関係にあり、縮率を大きく設計した場合には、出現する潜像画像は基画像（８）と比較してぼやけた画像となり、逆に縮率を小さく設計した場合には、出現する潜像画像は、基画像（８）をほぼそのまま再現したようなシャープな画像となる。
【０１０１】
また、縮率は、動きの早さ、動きの幅の大きさ及び出現する潜像画像のシャープさに関係するだけでなく、遠近感にも関係する。すなわち、縮率を大きく設計した場合には、出現する潜像画像の遠近感は大きくなり、縮率を小さく設計した場合には、出現する潜像画像の遠近感は小さくなる。以上のように、縮率を変えることで、動きの早さ、動きの幅、潜像画像のシャープさ及び遠近感が変化する。縮率の具体的な数値の範囲については、基画像（８）の複雑さや蒲鉾状画線（６）の幅にも左右されるが、２以上１００以下程度で形成することが望ましい。２以下とした場合、立体的な視覚効果や動画的な視覚効果が低くなり過ぎ、１００以上とした場合、潜像要素の幅内に画像を圧縮した場合に印刷再現性を超えた解像度になる場合が多いためである。いずれにしても、ユーザの求める効果に応じて適宜、適正な数値を選択する必要がある。
【０１０２】
単に動画効果にチェンジ効果を組み込んだ場合、合成潜像画線群の構成の中にチェンジ効果を実現するための画線構成を付与するために、動画効果を実現するための画線構成を間引く必要があり、結果としてチェンジ効果を組み込めても、動画効果は損なわれてしまう。しかし、本発明の潜像印刷物（１）おいては、動画効果とチェンジ効果を組み合わせたにもかかわらず、動画効果単独で構成した場合と比較しても動画効果が損なわれない。その理由は、前述したとおり、それぞれの潜像画像を構成する潜像画線群の配置を工夫することで、連続的でつながりのある変化を実現するための動画効果の判別性に関連するパラメータ、具体的にはチェンジ前の画像とチェンジ後の画像が動く合計距離や動きの早さ、それぞれの動く画像の鮮明さ等が動画効果単独で構成した場合と同じ値で実現できることに起因する。すなわち、本発明でいう、連続的でつながりのある変化を用いた場合には、チェンジ効果と動画効果のいずれも損なうことなく、二つの効果を両立させることができる。  
【０１０３】
本発明でいう、連続的でつながりのある変化とは、特定の物体が動きながら、ある有意情報から異なる有意情報へと連続的に、スムーズに変化するという意味であり、例えば、図３６に示したような、単に動画効果とチェンジ効果が別々に、不連続に生じる変化とは異なる。このような変化を生じさせるためには、変化前後の画像の数は同じであって、出現する領域も近似し、動きにも一定の共通性が必要となる。仮に、図３６の印刷物の例で図３６（ａ）に示した桜の花びらだけでなく、図３６（ｂ）に示すＪＡＰＡＮの文字も印刷画像（３）中で動いたとしても、そのような画像構成では、本発明のいう連続的なつながりのある変化とはいえない。
【０１０４】
一つの潜像合成画像群（５）を構成する第一の潜像画像群（５Ａ−１）と第二の潜像画像群（５Ｂ−１）において、それぞれの基画像からそれぞれの第一の潜像画線（７Ａ−１）と第二の潜像画線（７Ｂ−１）を形成する過程において、ミラー反転の有無を変えてはならない。すなわち、第一の潜像画線（７Ａ−１）を作製する上で、フレーム内画像をミラー反転せず作製した場合、第二の潜像画線（７Ｂ−１）もフレーム内画像をミラー反転せず作製しなければならない。逆に、第一の潜像画線（７Ａ−１）を作製する上で、フレーム内画像をミラー反転させて作製した場合、第二の潜像画線（７Ｂ−１）もフレーム内画像をミラー反転させて作製しなければならない。これは、画像がチェンジした瞬間に移動方向が逆転してしまい、画像の変化前後の動きに共通性が失われてしまうためである。
【０１０５】
また、第一の基画像（８Ａ）に適用する縮率と第二の基画像に（８Ｂ）に適用する縮率は同一か、又は略同一であることが望ましい。正反射光下で出現した第一の基画像（８Ａ）と第二の基画像（８Ｂ）の画像のシャープさや、動きの早さが大きく変わってしまうと本発明の意図する、第一の基画像（８Ａ）が、そのまま第二の基画像（８Ｂ）に変化するような動きの連続的な変化が損なわれ、不連続な変化として捉えられる可能性がある。すなわち、第一の基画像（８Ａ）と第二の基画像（８Ｂ）を相関のない別の画像として認識される可能性が生じてしまうためである。それぞれ相関のない、別々の画像として認識されてしまう場合、図３６に示したような従来の技術をデザイン的に組み合わせた構成と効果の面で差異がなくなり、動画効果が損なわれてしまう。本発明が意図する、動画効果を損なうことなく、動画効果とチェンジ効果を組み合わせた効果が発揮されなくなってしまうため、望ましくない。
【０１０６】
次に、合成潜像画線群（５）における、それぞれの潜像画線群の画像の中心のずらし量と、ずらし方向の設計について、図２８を用いて説明する。まず、図２８（ａ）には、二つの画像のチェンジ効果を実現する場合の常識的な画像の配置図を示す。画像のチェンジを単に実現したい場合、図２８（ａ）に示すように、二つの画像の中心位置を上下方向に完全に合わせる配置が一般的である。単に画像をチェンジさせるという目的であれば、図２８（ａ）に示す上下の中心を合わせた構成で充分である。ただし、本発明の潜像印刷物（１）のチェンジ効果は、動きの中で、その変化がスムーズで連続的に生じることを特徴とする。
【０１０７】
このため、図２８（ａ）に示すように、動きのない画像でチェンジ効果を実現する場合とは異なり、二つの潜像画線群の画像の幅の中心位置を特定方向に特定の距離ずらす必要がある。中心位置をずらさない場合には、画像がチェンジした前後でのそれぞれの画像の位相が異なり、変化が連続的に感じられないためである。図２８（ｂ）に示すのは、第一の実施の形態で説明した各潜像画線（７）をミラー反転しなかった場合の二つの潜像画線群（５Ａ及び５Ｂ）のずらし方の例であり、図２８（ｃ）に示すのは、第二の実施の形態で説明した各潜像画線（７）をミラー反転した場合の二つの潜像画線群（５Ａ´及び５Ｂ´）のずらし方の例である。
【０１０８】
二つの画像のずらし量は、動画効果に直接影響しているそれぞれの潜像の基となるフレーム幅（Ｌ）や画線幅（Ｗ２、Ｗ３）が影響する。よって、印刷で形成する範囲においては、二つの画像の中心がフレーム幅（Ｌ）の四分の一から四分の三の長さの範囲でずれていることが好ましく、フレーム幅の半分の値が最も好ましい。四分の一より小さな値や四分の三より大きな値として場合、二つの基画像（８Ａ及び８Ｂ）の変化が不連続に感じられやすくなるためである。
【０１０９】
ずらし方向については、蒲鉾状画線群（４）と合成潜像画線群（５）の刷り合わせの位置関係によるが、仮に、図１１や図２４に示す適正な位置関係で刷り合わせたと仮定すると、図２８（ｂ）に示すように、第一の実施の形態と同じに潜像画線（７）をミラー反転しない場合、第一の基画像（８Ａ）に対して、第二の基画像（８Ｂ）は、Ｓ１方向と逆方向に位相をずらして配置する必要があり、潜像画線（７）をミラー反転する場合、第一の基画像（８Ａ）に対して、第二の基画像（８Ｂ）は、Ｓ１方向に位相をずらして配置する必要がある。すなわち、ミラー反転の有無によって、二つの画像のずらし方向を変える必要がある。
【０１１０】
第一の実施の形態において、正反射光下で出現する潜像画像が第一の基画像（８Ａ）及び第二の基画像（８Ｂ）の二種類の基画像に変化する例で説明したが、二種類に制限されるわけではない。同じ方法を用いて、出現させる基画像を変えることができる。
【０１１１】
なお、本明細書中でいう正反射とは、物質にある入射角度で光が入射した場合に、入射した光の角度と略等しい角度に強い反射光が生じる現象を指し、拡散反射とは、物質にある入射角度で光が入射した場合に、入射した光の角度と異なる角度に弱い反射光が生じる現象を指す。例えば、虹彩色パールインキを例とすると、拡散反射の状態では無色透明に見えるが、正反射した状態では特定の干渉色を発する。正反射光下で観察するとは、印刷物に入射した光の角度と略等しい反射角度に視点をおいて観察する状態を指し、拡散反射光下で観察するとは、印刷物に入射した光の角度と大きく異なる角度で観察する状態を指す。
【０１１２】
以上のように、本発明の潜像印刷物（１）においては、合成潜像画線群（５）の各画線の構成を適宜変えるだけで、潜像画像のチェンジ効果、潜像画像の動き及び遠近感を自由に設計することができる。
【０１１３】
以下、前述の発明を実施するための形態にしたがって、具体的に作製した潜像印刷物の実施例について詳細に説明するが、本発明は、この実施例に限定されるものではない。
【実施例１】
【０１１４】
図２９に潜像印刷物（１−１）を示す。図２９（ａ）に示すのは、潜像印刷物（１−１）の正面図であり、図２９（ｂ）に示すのは、潜像印刷物（１−１）のＡＡ´ラインにおける断面図である。潜像印刷物（１−１）は、基材（２−１）の上に、印刷画像（３−１）が形成されてなる。基材（２−１）は、一般的な白色コート紙（エスプリコートＦＭ 日本製紙製）を用いた。
【０１１５】
本発明の印刷画像（３−１）の構成の概要を図３０に示す。印刷画像（３−１）は、蒲鉾状画線群（４−１）と合成潜像画線群（５−１）からなる。また、合成潜像画線群（５−１）は、合成潜像画線群Ａ（５Ａ−１）及び合成潜像画線群Ｂ（５Ｂ−１）の二種類の合成潜像画線群の組合せからなる。
【０１１６】
図３１は、蒲鉾状画線群（４−１）であり、蒲鉾状画線群（４−１）は、画線幅０．３ｍｍ、盛り上がり高さ１５μｍの蒲鉾状画線（６−１）がピッチ０．４ｍｍでＳ１方向に連続して複数配置されてなり、３ｃｍ×３ｃｍの正方形を形成して成る。以上のような構成の蒲鉾状画線群（４−１）を、表１に示すＵＶスクリーンインキを用いてＵＶ乾燥方式のスクリーン印刷方式で基材（２−１）上に印刷した。表１に示すインキは拡散反射光下で透明であって、正反射光下で緑色の干渉色を発するカラーフリップフロップ性を有するインキである。
【０１１７】
【表１】
2014162112.tif 000003
【０１１８】
図３２は、合成潜像画線群Ａ（５Ａ−１）であり、第一の実施の形態で説明した方法で作製した。合成潜像画線群Ａ（５Ａ−１）の中には、第一の潜像画線群Ａ（５ＡＡ−１）及び第二の潜像画線群Ａ（５ＡＢ−１）の作製にあたって用いた第一のフレームＡ及び第二のフレームＡは、高さ（Ｈ）３０ｍｍ、幅（Ｌ）約６ｍｍとし、それぞれの潜像要素の作製にあたって、ミラー反転は行っていない。また、それぞれの潜像要素の画線幅は、０．１８ｍｍであるため、縮率は３３である。図３２の拡大図に示すように、第一の潜像画線Ａ（７ＡＡ−１）及び第二の潜像画線Ａ（７ＡＢ−１）を０．７ｍｍピッチの中で交互に配置した。その他の構成、作製方法は、第一の実施の形態で説明した構成と同一である。
【０１１９】
図３３は、合成潜像画線群Ｂ（５Ｂ−１）であり、第二の実施の形態で説明した方法で作製した。合成潜像画線群Ｂ（５Ｂ−１）の中には、第一の潜像画線群Ｂ（５ＢＡ−１）及び第二の潜像画線群Ｂ（５ＢＢ−１）の作製にあたって用いた第一のフレームＢ及び第二のフレームＢは、高さ（Ｈ）３０ｍｍ、幅（Ｌ）約６ｍｍとし、それぞれの潜像要素の作製にあたって、ミラー反転を行った。また、それぞれの潜像要素の画線幅は、０．１８ｍｍであるため、縮率は３３である。図３３の拡大図に示すように、第一の潜像画線Ｂ（７ＢＡ−１）及び第二の潜像画線Ｂ（７ＢＢ−１）を０．７ｍｍピッチの中で交互に配置した。その他の構成、作製方法は、第二の実施の形態で説明した構成と同一である。
【０１２０】
図３４（ａ）は、合成潜像画線群Ａ（５Ａ−１）であり、図３４（ｂ）は、合成潜像画線群Ｂ（５Ｂ−１）の概要である。合成潜像画線群Ａ（５Ａ−１）は、それぞれの潜像画線をミラー反転させずに構成し、第一の潜像画線群Ａ（５ＡＡ−１）に対して、第二の潜像画線群Ａ（５ＡＢ−１）をＳ１方向とは逆方向に、約３ｍｍのずらし量を設けた。合成潜像画線群Ｂ（５Ｂ−１）は、それぞれの潜像画線をミラー反転して構成し、第一の潜像画線群Ｂ（５ＢＡ−１）に対して、第二の潜像画線群Ｂ（５ＢＢ−１）をＳ１方向に、約３ｍｍのずらし量を設けた。
【０１２１】
以上の構成の合成潜像画線群Ａ（５Ａ−１）及び合成潜像画線群Ｂ（５Ｂ−１）からなる二つの合成潜像画線群（５−１）を、低光沢で透明なオフセットインキ（マットメジウム  帝国インキ製）を用いて蒲鉾状画線群（４−１）の上にオフセット印刷方式で重ね合わせて形成した。それぞれの画線同士の重なり合いの位置関係は、第一の実施の形態及び第二の実施の形態同様に、蒲鉾状画線（６−１）のＡ側の画線表面にそれぞれ第一の潜像画線（７ＡＡ−１、７ＢＡ−１）、Ａ´側の画線表面にそれぞれ第二の潜像画線（７ＡＢ−１、７ＢＢ−１）が重なる関係とした（図示せず）。
【０１２２】
図３５に、実施例１の潜像印刷物（１−１）の効果を示す。拡散反射光下において、潜像画像は不可視であり、蒲鉾状画線群（４−１）に特定の色彩が付与されている場合には、蒲鉾状画線群（４−１）のみが視認される（図示せず）。蒲鉾状画線群（４−１）が透明な材料で形成されている場合には、拡散反射光下において、いずれの画像も視認することができない（図示せず）。
【０１２３】
本発明の潜像印刷物（１−１）を正反射光下で観察した場合、図３５（ａ）に示すように、正反射光下にある観察者の視点（１１−１）が、Ａよりにある場合には、緑色の干渉色を発する印刷画像（３−１）の中に、合成潜像画線群Ａ（５Ａ−１）及び合成潜像画線群Ｂ（５Ｂ−１）による第一の桜の蕾が潜像として再生され、わずかに角度を変化させることにより合成潜像画線群Ａ（５Ａ−１）から生じた桜の蕾は、Ｓ１方向と逆の方向に、合成潜像画線群Ｂ（５Ｂ−１）から生じた桜の蕾は、Ｓ１方向に動いて見えた。また、図３５（ｂ）に示すように、正反射光下にある観察者の視点（１１−１）を、ややＡ´側に変化させた場合、緑色の干渉色を発する印刷画像（３−１）の中の合成潜像画線群Ａ（５Ａ−１）から生じた桜の蕾は、Ｓ１方向と逆の方向に動きながら桜の花にチェンジし、合成潜像画線群Ｂ（５Ｂ−１）から生じた桜の蕾は、Ｓ１方向と逆の方向に動きながら桜の花にチェンジした。続いて、図３５（ｃ）に示すように、正反射光下にある観察者の視点（１１−１）を、よりＡ´側近くに変化させた場合、緑色の干渉色を発する印刷画像（３−１）の中の合成潜像画線群Ａ（５Ａ−１）から生じた桜の花は、Ｓ１方向と逆の方向に、合成潜像画線群Ｂ（５Ｂ−１）から生じた桜の花は、Ｓ１方向に動いて見えた。それぞれの蕾から桜へとチェンジする効果は連続的に視認され、その変化は極めてスムーズであることから、蕾と花が別々の物体として認識されることなく、ひとつの物体が、蕾から花へと変化したように観察することができた。すなわち、桜の蕾が膨らんで花が咲いたように認識することができた。
【０１２４】
また、合成潜像画線群Ａ（５Ａ−１）から生じた桜の蕾と花は、潜像印刷物（１−１）上より手前側に浮き上がっているように見え、逆に合成潜像画線群Ｂ（５Ｂ−１）から生じた桜の蕾と花は、潜像印刷物（１−１）上より奥側に沈み込んでいるように見えた。この遠近感は、蕾が動いて見える場面、動きながら蕾から花へと変化する場面及び花が動いて見える場面のそれぞれで同じ距離感で常時発現し続けた。以上のように、潜像印刷物（１−１）を正反射光下で観察することによって、動画効果を有する蕾が桜へとチェンジし、かつそれぞれの画像に遠近感が生じることを確認することができた。
【符号の説明】
【０１２５】
１、１´、１−１  潜像印刷物
２、２´、２−１  基材
３、３´、３´´、３−１  印刷画像
４、４´、４´´、４−１  蒲鉾状画線群
５、５´、５´´、５−１、５Ａ−１、５Ｂ−１  合成潜像画線群
５Ａ、５Ｂ、５Ａ´、５Ｂ´、５ＡＡ−１、５ＡＢ−１、５ＢＡ−１、５ＢＢ−１  潜像画線群
６、６´、６−１、６−２、６−３、６−４、６−５、６−６、６−７、６−８、６−９、６−１０、６−１１  蒲鉾状画線
７、７Ａ、７Ａ−１、７Ａ−２、７Ａ−３、７Ａ−ｎ、７Ｂ、７Ｂ−１、７Ｂ−２、７Ｂ−３、７Ｂ−ｎ、７´、７Ａ´、７Ａ−１´、７Ａ−２´、７Ａ−３´、７Ａ−ｎ´、７Ｂ´、７Ｂ−１´、７Ｂ−２´、７Ｂ−３´、７Ｂ−ｎ´、７ＡＡ−１、７ＡＢ−１、７ＢＡ−１、７ＢＢ−１  潜像画線
８Ａ、８Ｂ、８Ａ´、８Ｂ´  基画像
９Ｂ、９Ｂ−１、９Ｂ−２、９Ｂ−３、９Ｂ−ｎ、９Ｂ´、９Ｂ−１´、９Ｂ−２´、９Ｂ−３´、９Ｂ−ｎ´  フレーム
１０Ｂ、１０Ｂ−１、１０Ｂ−２、１０Ｂ−３、１０Ｂ−ｎ、１０Ｂ´、１０Ｂ−１´、１０Ｂ−２´、１０Ｂ−３´、１０Ｂ−ｎ´、  フレーム内画像
１０ＢＲ´  反転フレーム内画像
１１、１１´、１１´´、１１−１  光源
１２、１２´、１２´´、１２−１  観察者の視点
【図１】
2014162112.tif 000004
【図２】
2014162112.tif 000005
【図３】
2014162112.tif 000006
【図４】
2014162112.tif 000007
【図５】
2014162112.tif 000008
【図６】
2014162112.tif 000009
【図７】
2014162112.tif 000010
【図８】
2014162112.tif 000011
【図９】
2014162112.tif 000012
【図１０】
2014162112.tif 000013
【図１１】
2014162112.tif 000014
【図１２】
2014162112.tif 000015
【図１３】
2014162112.tif 000016
【図１４】
2014162112.tif 000017
【図１５】
2014162112.tif 000018
【図１６】
2014162112.tif 000019
【図１７】
2014162112.tif 000020
【図１８】
2014162112.tif 000021
【図１９】
2014162112.tif 000022
【図２０】
2014162112.tif 000023
【図２１】
2014162112.tif 000024
【図２２】
2014162112.tif 000025
【図２３】
2014162112.tif 000026
【図２４】
2014162112.tif 000027
【図２５】
2014162112.tif 000028
【図２６】
2014162112.tif 000029
【図２７】
2014162112.tif 000030
【図２８】
2014162112.tif 000031
【図２９】
2014162112.tif 000032
【図３０】
2014162112.tif 000033
【図３１】
2014162112.tif 000034
【図３２】
2014162112.tif 000035
【図３３】
2014162112.tif 000036
【図３４】
2014162112.tif 000037
【図３５】
2014162112.tif 000038
【図３６】
2014162112.tif 000039